(57)【要約】【課題】ピンインサートとコネクタケースをねじで結合した状態でピンインサートとコネクタケース相互の偏心をごく僅かに抑えることができ、コネクタの円滑な着脱が可能で、コネクタを結合した状態でがたつきのないマイクロホンコネクタおよびマイクロホンを得る。【解決手段】マイクロホンに結合されマイクロホンケーブル側コネクタが挿入される円筒状のコネクタケース１と、コネクタケース１内に固定されるピンインサート５と、ピンインサート５の半径方向にねじ込まれコネクタケース１とピンインサート５を結合する止めねじ１０と、コネクタケース１の内周面とピンインサート５の外周面との間に介在し、止めねじ１０でコネクタケース１とピンインサート５を結合することによってコネクタケース１とピンインサート５が偏心するのを阻止するスペーサ１１と、を具備している。【選択図】図１
2008067341.tif 000002
【特許請求の範囲】
【請求項１】
マイクロホンに結合されマイクロホンケーブル側コネクタが挿入される円筒状のコネクタケースと、
コネクタケース内に固定されるピンインサートと、
ピンインサートの半径方向にねじ込まれコネクタケースとピンインサートを結合する止めねじと、
コネクタケースの内周面とピンインサートの外周面との間に介在し、コネクタケースとピンインサートが止めねじで結合されることによってコネクタケースとピンインサートが偏心するのを阻止するスペーサと、を具備するマイクロホンコネクタ。
【請求項２】
ピンインサートは、絶縁材料からなるベースと、このベースを厚さ方向に貫いてベースと一体に設けられた接続ピンを有してなる請求項１記載のマイクロホンコネクタ。
【請求項３】
ベースの半径方向に止めねじがねじ込まれ、この止めねじを半径方向外側に引き上げることによって止めねじがコネクタケースの内周面に当たり、ピンインサートがコネクタケースに結合されている請求項２記載のマイクロホンコネクタ。
【請求項４】
スペーサは、止めねじとコネクタケースとの当接部に対し円周方向反対側においてコネクタケースの内周面とピンインサートの外周面との間に介在している請求項３記載のマイクロホンコネクタ。
【請求項５】
コネクタケースの周壁に、止めねじを回転させる道具を挿入するための孔が形成されている請求項３記載のマイクロホンコネクタ。
【請求項６】
止めねじは、コネクタケースを貫通してピンインサートのベースにねじ込まれ、上記ベースをコネクタケースの内周面に引き付けて、ピンインサートとコネクタケースを結合している請求項２記載のマイクロホンコネクタ。
【請求項７】
止めねじによってピンインサートのベースがコネクタケースの内周面に引き付けられる位置においてスペーサがピンインサートとコネクタケース間に介在している請求項６記載のマイクロホンコネクタ。
【請求項８】
スペーサは、ピンインサートの外周面に沿った部分円弧状の部材である請求項１記載のマイクロホンコネクタ。
【請求項９】
部分円弧状の部材であるスペーサは、円周方向中間部にスペーサの幅方向に突出した幅広部を有している請求項８記載のマイクロホンコネクタ。
【請求項１０】
幅広部は、スペーサの円周方向中間部の２箇所に設けられている請求項９記載のマイクロホンコネクタ。
【請求項１１】
マイクロホンケーブル側コネクタが着脱されるマイクロホンコネクタを備えるマイクロホンであって、上記マイクロホンコネクタとして請求項１乃至１０のいずれかに記載のマイクロホンコネクタを備えているマイクロホン。
【発明の詳細な説明】
【技術分野】
【０００１】
本発明は、コネクタケースにピンインサートを組み込んだ形態のマイクロホンコネクタおよびこれを備えたマイクロホンに関するものであって、コネクタケースとピンインサート相互間の偏心を軽減することができるように構造を工夫したものである。
【背景技術】
【０００２】
マイクロホンによって変換された音声信号は、平衡シールドケーブルによってマイクロホン本体から外部に出力される。マイクロホンと平衡シールドケーブルは、例えば、３ピンタイプのマイクロホンコネクタによって着脱することができるようになっている。マイクロホンコネクタは、例えば、ＥＩＡＪ  ＲＣ−５２３６［音響機器用ラッチロック式丸型コネクタ］（非特許文献１参照）で規定されているコネクタのように、規格化されたものが一般に用いられる。
【０００３】
非特許文献１に記載されている規格化されたマイクロホンコネクタのマイクロホン側コネクタは雄型のコネクタで、ピンインサートがコネクタケース内に配置され、ピンインサートとコネクタケースがねじで結合されている。図７はその例を示すもので、符号１はコネクタケースを、５はピンインサートを、１０はねじをそれぞれ示している。コネクタケース１は、有底円筒状金属ケースの底部に相当する部分を打ち抜くことによって円形の窓孔２が形成されるとともに、窓孔２の周囲に内向きのフランジ４が形成された形になっている。コネクタケース１は上記内向きのフランジ４の形成端が図示されないマイクロホンの例えば後端部に結合されるようになっている。コネクタケース１の周壁にはネジ１０を回転させるドライバを挿入するための丸孔３が形成されている。
【０００４】
コネクタケース１の中にはピンインサート５が挿入されている。ピンインサート５は、絶縁材料、例えば成形樹脂からなるベース６と、ベース６を厚さ方向に貫通しかつベース６に一体に設けられた接続ピン８，９を有してなる。ベース６は外周がコネクタケース１の内周に沿った円柱状に形成され、外周面から半径方向中心に向かってねじ孔７が形成されている。図７では２本の接続ピン８，９が図示されているが、図示されないもう１本の接続ピンを備えている。ベース６はコネクタケース１の奥、すなわち内向きのフランジ４に近接した位置にあり、かつ、上記ねじ孔７にねじ込まれているねじ１０とコネクタケース１の丸孔３とが対応した位置関係になっていて、コネクタケース１の丸孔３からドライバを挿入してねじ１０を回転させることができるようになっている。ねじ１０はベース６の外周面から半径方向外方に突出し、ねじ１０の肩に相当する部分がコネクタケース１の内周面に当たり、ベース６のねじ１０の挿入部とは反対側の外周部がコネクタケース１の内周面に押し当てられることにより、ピンインサート５がコネクタケース１内に固定されている。
【０００５】
接続ピン８，９を含む３本の接続ピンはベース６を厚さ方向に貫いていて、一端側（図４において右端側）はコネクタケース１内においてコネクタケース１の中心軸線と略平行に伸び、他端側はコネクタケース１の窓孔２からコネクタケース１の外方に向かって延びている。接続ピン８，９を含む３本接続ピンの他端側はマイクロホンの適宜の回路、たとえば回路基板の所定の回路パターンなどに電気的に接続される。コネクタケース１の開放端、すなわちベース６が固定されている側とは反対側（図７において右端側）からは、例えば、マイクロホンケーブルの一端に設けられたメス型のコネクタが挿入され、メス型コネクタの電気接点に上記３本の接続ピンが嵌まって、双方のコネクタが電気的に接続されるようになっている。
【０００６】
上記のような不具合を解消するための構成として、マイクロホン側コネクタ本体のコネクタケースに、受側コネクタ本体と上記マイクロホン側コネクタ本体との間に形成される隙間に嵌め込むスリーブを設け、このスリーブを、上記コネクタケース内に設けたスプリングで押圧することが考えられる（例えば、特許文献１参照）。
【０００７】
【非特許文献１】日本電子工業会規格  ＥＩＡＪ  ＲＣ５２３６  音響機器用ラッチロック式丸型コネクタ
【特許文献１】実開昭６０−６８７８１号公報
【発明の開示】
【発明が解決しようとする課題】
【０００８】
図７について説明したような従来のマイクロホンコネクタは、コネクタケース１内にピンインサート５を挿入し、ねじ１０でピンインサートをコネクタケース１に固定する構造になっているため、コネクタケース１の内径に対してピンインサート５のベース６の外径を小さくする必要がある。そのため、ねじ１０をピンインサート５のベース６から引き上げて、すなわち半径方向外側に突出させてピンインサート５を固定した状態で、図７に示すように、コネクタケース１の内周面と上記ベース６の外周との間に最大で０．７ｍｍ程度の隙間が生じる。この隙間が生じることによって、図７に示すように、コネクタケース１とピンインサート５との間に０．４ｍｍ程度の偏心すなわち双方の中心のずれが生じる。この偏心が小さければ大きな問題はないが、偏心が大きくなると、マイクロホンにケーブルを接続することができない、あるいは、接続することができたとしても、双方のコネクタにがたつきを生じて接触不良を起こし、接触雑音を発生する、といった問題を生じていた。このような問題が生じないように、コネクタケース１の内径とピンインサート５のベース６の外径との間に隙間が生じないようにして上記偏心を小さくすると、コネクタケース１内にピンインサート５を挿入することができないかまたは挿入しにくくなり、組立が困難になる。
【０００９】
特許文献１に記載されているような発明は、マイクロホン側コネクタと相手のコネクタとを結合したとき、双方のコネクタ間の安定性を確保するための発明であり、本発明のように、ピンインサートの偏心や傾きなどに着目してこれを無くそうとする目的のものではない。また、必要な部品点数が増加し、組立が面倒になるという難点もある。
【００１０】
本発明は、以上説明したような従来のマイクロホンコネクタの問題点を解消するためになされたもので、組み立てを容易にするために、ピンインサートの外周面とコネクタケースの内周面との間に隙間が生じるようにした上で、ピンインサートとコネクタケースをねじで結合した状態でピンインサートとコネクタケース相互の偏心が無く、あるいは偏心があったとしてもごく僅かな偏心量に抑えることができ、コネクタの円滑な着脱が可能で、コネクタを結合した状態でがたつきのないマイクロホンコネクタおよびマイクロホンを提供することを目的とする。
【課題を解決するための手段】
【００１１】
本発明は、マイクロホンに結合されマイクロホンケーブル側コネクタが挿入される円筒状のコネクタケースと、コネクタケース内に固定されるピンインサートと、ピンインサートの半径方向にねじ込まれコネクタケースとピンインサートを結合する止めねじと、コネクタケースの内周面とピンインサートの外周面との間に介在し、コネクタケースとピンインサートが止めねじで結合されることによってコネクタケースとピンインサートが偏心するのを阻止するスペーサと、を具備していることを最も主要な特徴とする。
【００１２】
スペーサは、ピンインサートの外周面に沿った部分円弧状の部材とするとよい。
上記部分円弧状の部材であるスペーサは、円周方向中間部にスペーサの幅方向に突出した幅広部を有しているとなおよい。
上記幅広部は、スペーサの円周方向中間部の２箇所に設けるとなおよい。
【発明の効果】
【００１３】
止めねじでコネクタケースとピンインサートを結合することにより、コネクタケースに対しピンインサートが偏心しようとするが、スペーサの介在によって偏心が阻止される。偏心が阻止されることにより、マイクロホンコネクタへのケーブル側コネクタの着脱が円滑になる。スペーサが介在することによってコネクタケースに対するピンインサートのがたつきがなくなるため、がたつきによる接触不良、接触雑音を防止することができる。
【００１４】
スペーサを、ピンインサートの外周面に沿った部分円弧状の部材とすれば、ピンインサートの外周面とコネクタケースの内周面との隙間をスペーサで生めることができる。
部分円弧状のスペーサの円周方向中間部に幅広部を設けることにより、コネクタケースに対するピンインサートの回転を阻止して、コネクタケースに対するピンインサートの傾きを防止することができる。
上記幅広部をスペーサの円周方向中間部の２箇所に設けると、コネクタケースに対するピンインサートの回転をより効果的に阻止することができる。
【発明を実施するための最良の形態】
【００１５】
以下、本発明にかかるマイクロホンコネクタおよびマイクロホンの実施例について図面を参照しながら説明する。図７に示す従来例と同じ構成部分には同じ符号を付してある。
【実施例１】
【００１６】
図１において、符号１はコネクタケースを、５はピンインサートを、１０はねじをそれぞれ示している。コネクタケース１は、有底円筒状金属ケースの底部に相当する部分を同心円に沿って打ち抜くことによって円形の窓孔２が形成されるとともに、窓孔２の周囲に内向きのフランジ４が形成された形になっている。コネクタケース１は上記内向きのフランジ４の形成端が図示されないマイクロホンの例えば後端部に取り付けられるようになっている。コネクタケース１の周壁には止めねじ１０を回転させるドライバを挿入するための丸孔３が形成されている。
【００１７】
コネクタケース１の中にはピンインサート５が挿入されている。ピンインサート５は、絶縁材料、例えば成形樹脂からなるベース６と、ベース６を厚さ方向に貫通しかつベース６に一体に設けられた接続ピン８，９を有してなる。ベース６は外周がコネクタケース１の内周に沿った円筒面で形成され、ベース６全体としては高さの低い円柱状になっている。ベース６には、外周面から半径方向中心に向かってねじ孔７が形成されている。図１では２本の接続ピン８，９が図示されているが、図示されないもう１本の接続ピンを備えている。ベース６はコネクタケース１の奥、すなわち内向きのフランジ４に近接した位置にあり、かつ、上記ねじ孔７にねじ込まれている止めねじ１０とコネクタケース１の丸孔３とが対応した位置関係になっていて、コネクタケース１の丸孔３からドライバのような道具を挿入して止めねじ１０を回転させることができるようになっている。止めねじ１０はベース６の外周面から半径方向外方に突出し、止めねじ１０の肩に相当する部分がコネクタケース１の内周面（より正確には、コネクタケース１の内周面でありかつ前記丸孔３の周縁部）に当たり、ベース６の止めねじ挿入部とは反対側の外周部がコネクタケース１の内周面に押し当てられることにより、ピンインサート５がコネクタケース１内に固定されている。
【００１８】
接続ピン８，９を含む３本の接続ピンはベース６を厚さ方向に貫いていて、一端側（図１において右端側）はコネクタケース１内においてコネクタケース１の中心軸線と略平行に伸び、他端側はコネクタケース１の窓孔２からコネクタケース１の内向きのフランジに接触することなくコネクタケース１の外方に向かって延びている。接続ピン８，９を含む３本の接続ピンの他端側はマイクロホンの適宜の回路、たとえば回路基板の所定の回路パターンなどに電気的に接続される。コネクタケース１の開放端、すなわちベース６が固定されている側とは反対側（図１において右端側）からは、例えば、マイクロホンケーブルの一端に設けられたメス型のコネクタが挿入され、メス型コネクタの電気接点に上記３本の接続ピンが嵌まって、双方のコネクタが電気的に接続されるようになっている。ここまで説明してきた構成は、図７に示す従来例の構成とほぼ同じである。
【００１９】
上記ベース６のねじ１０の挿入部とは反対側の外周部、換言すれば、止めねじ１０とコネクタケース１との当接部に対し円周方向反対側の外周部において、この外周部が対向するコネクタケース１の内周面との間にスペーサ１１が介在している。図２はスペーサ１１の具体的な構成を示している。スペーサ１１としては、例えば図２に示すように、０．４ｍｍ程度の厚さの板材を、内径１５ｍｍ程度の部分円弧状に形成したものを用いることができる。部分円弧状スペーサ１１の開き角度すなわち円弧の中心に対する一方端から他方端までの開き角度は１８０度以上になっていることが望ましく、図示の例では約２７０度になっている。スペーサ１１の円周方向中心部は幅方向両側に張り出した幅広部１２となっていて、この幅広部１２を含むスペーサ１１の円周方向中心部が、上記ベース６のねじ１０の挿入部とは反対側の外周部に位置するように配置される。コネクタケース１の内周面とベース６の外周面との間に最大で０．７ｍｍ程度の隙間が生じるように、コネクタケース１の内径よりもベース６の外径が小さくなっている。スペーサ６の材質は限定されない。金属でもよいし樹脂でもよく、導電体でも絶縁体でもよい。
【００２０】
以上説明した実施例のように、コネクタケース１の内周面とピンインサート５の外周面すなわちピンインサート５のベース６の外周面との間にスペーサ１１が介在することにより、止めねじ１０でコネクタケース１とピンインサート５を結合することによってコネクタケース１とピンインサート５が偏心するのを阻止している。より具体的に説明すると、コネクタケース１内にピンインサート５を挿入した状態で、止めねじ１０を回転させてピンインサート５のベース６から半径方向外方に引き上げて突出させ、止めねじ１０の肩に相当する部分をコネクタケース１の内周面に当接させると、上記ベース６を止めねじ１０の突出方向とは逆向きに移動させようとする力が働く。しかし、スペーサ１１が介在することによってベース６の移動が阻止され、あるいは移動量が制限され、図１に示すように、止めねじ１０が存在する部分において、コネクタケース１の内周面と上記ベース６の外周面との間に生じる隙間は０．３ｍｍ程度に規制され、周方向全体の隙間が均一化されて、コネクタケース１とピンインサート５の相対的な偏心を略０とすることができる。
【００２１】
コネクタケース１とピンインサート５の相対的な偏心を無くすことによって、マイクロホンコネクタにマイクコード側コネクタを結合することができない、あるいは結合できたとしても着脱操作を円滑に行うことができない、というような従来の課題を解決することができる。また、マイクロホンコネクタにケーブル側コネクタを結合した状態で両者のがたつきを無くすことができ、がたつきによる接触雑音の発生を防止することもできる。スペーサ１１は１８０度以上の部分円弧状に形成され、コネクタケース１の内周面と上記ベース６の外周面との間に生じる隙間を１８０度以上にわたってスペーサ１１で埋めることができるため、コネクタケース１に対してピンインサート５を安定に結合することができる。
【００２２】
スペーサ１１は、円周方向中心部に、幅方向両側に張り出した幅広部１２を有している。止めねじ１０の肩に相当する部分とコネクタケース１の内周面との当接によってベース６が押され、ベース６は上記幅広部１２を有するスペーサ１１の円周方向中心部をコネクタケース１の内周面に押し当てる。このとき、止めねじ１０を回転させることに伴ってベース６およびスペーサ１１の止めねじ１０を回転中心とした回転力（回転モーメント）が働く。上記ベース６の幅広部１２は止めねじ１０を回転中心とした平面的な円を描こうとするのに対し、上記幅広部１２が当接しているコネクタケース１の内周面は円筒面になっている。そのため、上記幅広部１２は上記回転力に対する抵抗力が発生し、ベース６およびスペーサ１１の回転を阻止して、ベース６およびスペーサ１１の位置規制が安定かつ確実に行われる。これによって、本発明の目的を達成することができる。
【実施例２】
【００２３】
次に、本発明の係るマイクロホンコネクタの第２実施例について説明する。第２実施例は、コネクタケースの内周面とピンインサートの外周面との間に介在するスペーサの構成に特徴があるので、スペーサの構成を中心に説明する。図３乃至図５は第２実施例に用いられるスペーサ３１を示す。図３乃至図５において、スペーサ３１は、第１実施例におけるスペーサ１１と同様に、板状の素材を部分円弧状に形成したもので、第１実施例におけるスペーサ１１と異なるのは、スペーサ３１の円周方向の２箇所に、幅方向両側に張り出した幅広部３２，３３を有していることである。スペーサ３１の開き角度すなわち円弧の中心に対する一方端から他方端までの開き角度は２７０度、したがって、開放部分の開き角度は９０度となっている。２箇所の幅広部３２，３３は、スペーサ３１の円周方向においてそれぞれの幅広部３２，３３の中心相互の開き角度が６０度に設定されている。また、２箇所の幅広部３２，３３は、スペーサ３１の円周方向両端から同じ距離したがって同じ角度離れた位置に設けられている。２箇所の幅広部３２，３３の円周方向の寸法およびスペーサ３１の幅方向への突出寸法は適宜の寸法に設定されている。
【００２４】
スペーサ３１は、第１実施例におけるスペーサ１１と同様に、円周方向の開放端間の中心が前記止めねじ１０の位置になるように、また、コネクタケース１の内周面と前記ピンインサート５のベース６の外周面との間に配置する。この配置において止めねじ１０をベース６から引き上げて止めねじ１０の肩に相当する部分を、コネクタケース１の内周面、より正確には、コネクタケース１の内周面であってコネクタケース１の丸孔３の周縁部に当接させると、ベース６の止めねじ１０の位置とは反対側の外周面がスペーサ３１の介在のもとに押し当てられる。これによってベース６の外周面とコネクタケース１の内周面との間に生じる隙間がスペーサ３１で埋められ、コネクタケース１とベース６との偏心が解消ないしは軽減される。
【００２５】
また、スペーサ３１は円周方向の２箇所に幅広部３２，３３を有しているため、前記止めねじ１０を回転させることに伴ってベース６およびスペーサ３１に止めねじ１０を回転中心とした回転力が働いたとき、幅広部３２，３３が、円筒面をなす前記コネクタケース１の内周面に当たる。このとき、幅広部３２，３３が回転しようとする面と、これら幅広部３２，３３が当たるコネクタケース１の内周面とが交差することになって互いに干渉し、止めねじ１０の回転によってベース６に作用する回転モーメントでベース６が回転することを防止することができ、コネクタケース１に対してベース６が傾くことを防止することができる。上記幅広部３２，３３は、スペーサ３１の幅方向両側に突出し、したがってベースの中心軸線と平行に伸びているため、回転モーメントによるベース６の回転をより効果的に防止することができる
【実施例３】
【００２６】
図１乃至図５に示すマイクロホンコネクタの実施例では、止めねじ１０がピンインサート５のベース６から半径方向外側に引き上げられることによって止めねじ１０がコネクタケース１の内周面に当たり、ピンインサート５がコネクタケースに結合される構成になっているが、かかる構成に限定されるものではない。
例えば、止めねじ１０は、コネクタケース１を貫通してピンインサート５のベース６にねじ込み、止めねじ１０で上記ベース６をコネクタケース１の内周面に引き付けることによってピンインサート５とコネクタケース１を結合するようにしてもよい。かかる構成をとる場合、止めねじ１０によってピンインサート５のベース６がコネクタケース１の内周面に引き付けられる位置、すなわち止めねじ１０が存在する位置において、スペーサ１１がピンインサート５とコネクタケース１間に介在するようにする。スペーサ１１には止めネジ１０が貫通する孔を設けるとよい。
【実施例４】
【００２７】
次に、本発明にかかるマイクロホンコネクタを備えたマイクロホンの実施例について説明する。図３において、マイクロホン２０はその後端部に、上記コネクタケース１を含むマイクロホンコネクタ２２を備えている。コネクタケース１の内部構造はすでに説明したとおりの構造である。マイクロホンコネクタ２２には、マイクロホンケーブル２４の一端に結合されたマイクロホンケーブル側コネクタ２８が着脱されるようになっている。マイクロホンコネクタ２２は雄型のコネクタであるのに対し、マイクロホンケーブル側コネクタ２８は雌型のコネクタである。マイクロホンケーブル側コネクタ２８の先端部は、マイクロホンコネクタ２２のコネクタケース１内に挿入され、上記コネクタ２８の先端部に形成された受け孔に、マイクロホンコネクタ２２が備える前記接続ピン８，９および他の接続ピンが嵌まって、マイクロホンコネクタ２２とマイクロホンケーブル側コネクタ２８が電気的に接続されるようになっている。
【００２８】
本発明にかかるマイクロホンの実施例によれば、マイクロホン２０は、前述の実施例にかかるマイクロホンコネクタ２２を備えているため、マイクロホンケーブル側コネクタ２８の着脱を円滑に行うことができ、また、マイクロホンコネクタ２２とマイクロホンケーブル側コネクタ２８相互のがたつきがなく、相互のがたつきによる接触雑音の発生を防止することができる。
【図面の簡単な説明】
【００２９】
【図１】本発明にかかるマイクロホンコネクタの実施例を示す縦断面図である。
【図２】上記実施例中のスペーサを示すもので、（ａ）は平面図、（ｂ）は側面図、（ｃ）は正面図である。
【図３】本発明にかかるマイクロホンコネクタの別の実施例に用いられるスペーサの平面図である。
【図４】上記スペーサの正面図である。
【図５】上記スペーサの左側面図である。
【図６】本発明にかかるマイクロホンの実施例を示す側面図である。
【図７】従来のマイクロホンコネクタの例を示す縦断面図である。
【符号の説明】
【００３０】
１    コネクタケース
５    ピンインサート
６    ピンインサートのベース
８    接続ピン
９    接続ピン
１０    止めねじ
１１    スペーサ
１２    幅広部
２０    マイクロホン
２２    マイクロホンコネクタ
２４    マイクロホンケーブル
２８    マイクロホンケーブル側コネクタ
３１    スペーサ
３２    幅広部
３３    幅広部
【図１】
2008067341.tif 000003
【図２】
2008067341.tif 000004
【図３】
2008067341.tif 000005
【図４】
2008067341.tif 000006
【図５】
2008067341.tif 000007
【図６】
2008067341.tif 000008
【図７】
2008067341.tif 000009